(57)【要約】      （修正有）【課題】エンボスプレートを用いて各種のカードを作成する際において、面倒な作業を経ることなく、エンボスプレートの下側から光を照射可能としたライトテーブルを提供する。【解決手段】係止突起４０１を有した底面部４と、底面部４における左右双方の端部から上方に連設した、後方側から正面側に向けて上端部を下側に向けて傾斜させた一対の側壁部５と、を備えた本体部２と、該本体部２内に配設した蛍光灯７と、前記本体部２内に配設した、前記蛍光灯７の下方に配置される平面部６０２と前記蛍光灯７の後方側から斜め後方側に立ち上がる後方側反射板６０３と前記蛍光灯７の前方側から斜め前方側に立ち上がる正面側反射板６０１と、を具備した反射板６と、前記係止突起４０１に嵌合する係止孔３０４を備えた、前記本体部２に着脱自在とした透光性カバー３と、を具備した。【選択図】図３
0003129579.tif 000002
【実用新案登録請求の範囲】
【請求項１】
正面側端部及び背面側端部に係止突起（４０１）が形成された底面部（４）と、該底面部（４）における左右双方の端部から上方に連設した、後方側から正面側に向けて上端部を下側に向けて傾斜させた一対の側壁部（５）と、を備えた、正面側、上面側及び背面側を開口とした本体部（２）と、
該本体部（２）内において、前記底面部（４）上に装着した蛍光灯よりなる光源（７）と、
前記本体部（２）内に配設した、前記光源（７）の下方に配置される平面部（６０２）と、前記光源（７）の後方側から斜め後方側に立ち上がる後方側反射板（６０３）と、前記光源（７）の前方側から斜め前方側に立ち上がる正面側反射板（６０１）と、を具備した反射板（６）と、
前記本体部（２）に着脱自在に装着した、前記本体部（２）における底面部（４）に形成した係止突起（４０１）に嵌合する係止孔（３０４）を備えるとともに、前記本体部（２）における正面側、上面側及び背面側の開口を閉鎖する透光性のカバー（３）と、を具備したことを特徴とするライトテーブル。
【請求項２】
前記本体部（２）及びカバー（３）をポリプロピレンにより形成したことを特徴とする請求項１に記載のライトテーブル。
【考案の詳細な説明】
【技術分野】
【０００１】
本考案はライトテーブルに係り、より詳しくは、エンボスプレート等を用いたカード作成やトレース等に用いられるライトテーブルに関する。
【背景技術】
【０００２】
最近のホビーブームの中で、凹凸を用いてカードに所望するデザインや文字等を描くことが好まれており、このような凹凸を用いてカードに所望するデザインや文字等を描く場合には、一般的に、エンボスプレートが用いられる。
【０００３】
ここで、図４は、エンボスプレートを用いてカード等に所望するデザイン、文字等を描く方法を説明するための図であり、図において３１はエンボスプレートである。そして、このエンボスプレート３１は、金属製のプレートにデザイン、文字等が打ち抜かれており、図においては、全体で熊のデザインになるような打ち抜きがされ、これを用いてカードを作成する場合には、このエンボスプレート３１の上に紙製のカード３２等を重ね合わせ、その後に、先端に棒状の押圧部３４を備えたエンボス用のペン３３を用いて、前記打ち抜かれたデザイン等の輪郭に沿って前記カード３２を押圧していく。
【０００４】
そうすると、カード３２には、前記打ち抜かれているデザイン等と同様の凸部が形成され、これにより、この凸部とその他の部分で凹凸状のデザイン等を描くことが可能となるとともに、前記凸部分に色を塗ることにより、浮き上がらせたデザイン等を更に美しくすることが可能となる。
【０００５】
従って、このエンボスプレートを用いることにより、単に平面的なデザインを描いたカードと異なり、インパクトのある飽きのこないカードを作ることが可能となる。
【考案の開示】
【考案が解決しようとする課題】
【０００６】
ところで、前述したように、エンボスプレートを用いてカードに凹凸のデザインを描く際には、エンボスプレートにカードを重ねた際に、エンボスプレートに形成されている打ち抜かれたデザインがカードの上から見えていることが好ましく、そのために従来は、エンボスプレートをガラス等の透光性のある物の上に置くとともにガラスの下側から光を照射することが行われていた。
【０００７】
しかしながら、エンボスプレートを用いる度ごとにガラス等を用意して、更にガラスの下側から光を照射することは煩わしさに耐えない。
【０００８】
その一方、例えば透過性を有しないテーブル、机等の上でカード作成を行った場合には、エンボスプレートにカードを重ね合わせた際に、エンボスプレートに形成されている打ち抜かれたデザインがカードの上から見えず、正確にデザインの輪郭に沿ってカードを押圧していくことが困難である。
【０００９】
この点、従来からトレース用のライトテーブルが提供されているが、このトレース用のライトテーブルでは、全体が大きく重くなってしまい取り扱いに不便であるとともに、それに伴い光源の交換等の作業も大変である。
【００１０】
そこで、本考案は、特にエンボスプレートを用いて各種のカードを作成する際において、特に面倒な作業を経ることなく、エンボスプレートの下側から光を照射可能としたライトテーブルを提供することを課題としている。
【課題を解決するための手段】
【００１１】
本考案のライトテーブルは、正面側端部及び背面側端部に係止突起が形成された底面部と、該底面部における左右双方の端部から上方に連設した、後方側から正面側に向けて上端部を下側に向けて傾斜させた一対の側壁部と、を備えた、正面側、上面側及び背面側を開口とした本体部と、
該本体部内において、前記底面部上に装着した蛍光灯よりなる光源と、
前記本体部内に配設した、前記光源の下方に配置される平面部と、前記光源の後方側から斜め後方側に立ち上がる後方側反射板と、前記光源の前方側から斜め前方側に立ち上がる正面側反射板と、を具備した反射板と、
前記本体部に着脱自在に装着した、前記本体部における底面部に形成した係止突起に嵌合する係止孔を備えるとともに、前記本体部における正面側、上面側及び背面側の開口を閉鎖する透光性のカバーと、を具備したことを特徴としている。
【考案の効果】
【００１２】
本考案のライトテーブルでは、内部に光源としての蛍光灯を備えるとともに正面側、上面側及び背面側を開口とした本体部と、この本体部における開口部分を着脱自在に閉鎖する透光性のカバーとを有しており、カバー上にエンボスプレートを載置するとともに蛍光灯を点灯させることにより、エンボスプレートに下側から光を照射することが可能であるために、エンボスプレートを用いたカード作成が極めて容易になる。また、カバーを着脱自在にしているために、光源の交換作業等も容易に行うことが可能である。
【００１３】
更に、光源として蛍光灯を用いているために長期間の使用が可能であるとともにライトテーブル１の全体が熱くなることを防止できる。
【００１４】
更にまた、本体の内部に蛍光灯の光を反射させる反射板を配置しているために、蛍光灯の光を効率よく作業面に向けることができ、これにより、カードの上からでもエンボスプレートにおける打ち抜き部分をより正確に見ることが可能となり、カード作成の効率を上げることが可能である。
【考案を実施するための最良の形態】
【００１５】
本考案のライトテーブルでは本体部を有しており、この本体部は、略長方形状の底面部とこの底面部の左右双方の両端に上方に向けて連設した一対の側壁とを備えており、これにより、正面側、上面側及び背面側を開口としている。
【００１６】
そして、前記底面部には、その正面側端部及び背面側端部に１又は複数個の係止突起が形成されており、前記側壁部は、後方側の高さが正面側の高さよりも高くなるように上端を傾斜させている。
【００１７】
また、前記本体部内において、底面部上には、光源としての蛍光灯が、底面部の長手方向に向けて装着されている。
【００１８】
更に、前記本体部内には、前記光源の光を反射させるための反射板が配設されており、この反射板は、光源の下方に配置された平面部と、光源の後方側から斜め後方側に立ち上がる後方側反射板と、光源の前方側から斜め前方側に立ち上がる正面側反射板とで構成されている。
【００１９】
また、本考案のライトテーブルでは、前記本体部における正面側、上面側及び背面側の開口を閉鎖するカバーを有しており、このカバーは、透光性素材で形成しているとともに、前記本体部における底面部に形成した係止突起に嵌合する係止孔を備え、本体部に着脱自在に装着されている。
【００２０】
ここで、前記本体部及びカバーをポリプロピレンにより形成するとよく、これにより、全体を軽量化して取り扱いを容易にすることが可能である。
【実施例１】
【００２１】
本考案のライトテーブルの実施例について図面を参照して説明すると、図１は本実施例のライトテーブルの斜視図であり、また、図２は本実施例のライトテーブルの側面構造を示す一部断面図である。そして、図において１が本実施例のライトテーブルであり、本実施例のライトテーブル１は、本体部２と、この本体部２に着脱自在に装着されたカバー３とを有しており、本体部２及びカバー３はともに、透光性のポリプロピレンにより形成している。
【００２２】
ここで、図３は、本実施例のライトテーブルを分解した状態を示す斜視図であり、図３において、本体部２は、略長方形状の底面部４と、この底面部４の長手方向に向いた両端から上方に連設した一対の側壁部５とを有しており、これにより、前記本体部は、正面側、上面側及び背面側を開口としている。そして、前記一対の側壁部５はそれぞれ、後方側から正面側に向けて、上端部が下側に向けて傾斜するように構成している。
【００２３】
また、前記底面部４における前端及び後端には、正面側及び背面側に向けてそれぞれ、間隔を置いて一対の係止突起４０１が形成されている。
【００２４】
次に、図において７は光源としての蛍光灯である。即ち、本実施例におけるライトテーブル１では、光源としての蛍光灯７が、取付部７０１を介して前記底面部４上に配設されている。
【００２５】
そして、図２にも示されるように、取付部７０１には、その先端部に図示しない接続プラグが連結されたリード線７０２が、カバー３を貫通しつつ外部に延出され、接続プラグをコンセントに接続することで前記蛍光灯７を点灯可能としている。なお、前記リード線７０２には、適宜スイッチを備えるとよい。
【００２６】
次に、図において６は、前記蛍光灯７の光を上方側へ反射させるための反射板であり、本実施例において前記反射板６は、アルミ、ステンレス等の光を容易に反射可能な素材により構成されており、前記蛍光灯７の下方に配置される平面部６０２と、この平面部６０２の後方側端部から斜め後方側に立ち上がる後方側反射板６０３と、前記平面部６０２の正面側端部から斜め前方側に立ち上がる正面側反射板６０１とを一体にして構成されている。
【００２７】
即ち、前記平面部６０２は、略長方形状としており、その長手寸法は前記底面部４の長手寸法と同等あるいはわずかに短い寸法とし、前後方向の寸法は前記蛍光灯７の下方を覆う程度の寸法としており、前記底面部４の前後方向に向いた略中央部近傍に配置されている。
【００２８】
また、前記後方側反射板６０３は、平面部６０２と同等の長手寸法とした略長方形状としており、前記平面部６０２の後方側端部に連設されるとともに、前記一対の側壁部５の上端における後端に向かい、斜め後方側に立ち上がって配設され、従って、前後方向の寸法は、前記平面部６０２の後方側端部から一対の側壁部５の上端における後端近傍までの距離と同等の寸法としている。
【００２９】
更に、前記正面側反射板６０１は、平面部６０２と同等の長手寸法とした略長方形状としており、前記平面部６０２の前方側端部に連設されるとともに、前記一対の側壁部５の上端における前端に向かい、斜め前方側に立ち上がって配設され、従って、前後方向の寸法は、前記平面部６０２の前方側端部から一対の側壁部５の上端における前端近傍までの距離と同等の寸法としている。
【００３０】
なお、前記反射板６は、必ずしも平面部６０２、後方側反射板６０３、及び正面側反射板６０１を一体にして構成する必要はなく、別個独立としてもよい。
【００３１】
次に、前記カバー３について説明すると、本実施例において前記カバー３は、前記本体部３の正面側開口を閉鎖する前壁部３０１と、前記本体部３の上面側開口を閉鎖する作業面３０２と、前記本体部３の背面側開口を閉鎖する後壁部３０３とを有して構成されており、これにより、前記本体部２をフルカバーし、本体部２内に手等が入ってしまうことを防止して安全性を確保している。
【００３２】
そして、前記一対の側壁部５の上端の傾斜に沿うように、前壁部３０１の高さを後壁部３０３の高さよりも低くし、これにより、作業面３０２は前側に傾斜した形態としている。
【００３３】
また、前記前壁部３０１及び後壁部３０３において、カバー３を本体部２に被せた際に前記係止突起４０１に対応する箇所には、前記係止突起４０１が嵌合可能な係止孔３０４が形成されており、本体部２における正面側、上面側及び背面側の開口を閉鎖するようにしてカバー３を本体部２に被せつつ、係止孔３０４内に係止突起４０１を嵌合することで、カバー３を本体部２に装着可能としており、一方、係止孔３０４と係止突起４０１の嵌合を解除することで、カバー３を本体部２から取り外すことを可能にしている。
【００３４】
このように、本考案のライトテーブル１では、カバー３と本体部２の着脱を容易に行うことができるために、光源としての蛍光灯７の交換作業、内部の清掃等が容易である。
【００３５】
なお、本実施例においては、前記カバー３及び前記本体部２ともに全体として丸みを帯びさせており、即ち、カバー３における前記前壁部３０１と作業面３０２との連設部分及び作業面３０２と後壁部３０３との連設部分、本体部２における底面部４と側壁部５との連設部分及び側壁部５の角部分は、アール状に丸みを帯びさせており、これにより、これらの箇所に手等をぶつけた場合でもケガ等の事故が発生することを防止している。
【００３６】
次に、このように構成される本実施例におけるライトテーブル１の作用について説明すると、本実施例におけるライトテーブル１を用いて、エンボスプレートを用いたカード作成を行う場合には、前記蛍光灯７を点灯させるとともに、作業面３０２上にエンボスプレートを置き、更にエンボスプレート上に紙製等のカードを重ね合わせ、この状態で、エンボスプレートに形成した打ち抜きに沿ってカードを押圧していく。
【００３７】
そうすると、エンボスプレートに形成した打ち抜きと同様のデザインをカード上に形成することができるとともに、蛍光灯７の光源によってエンボスプレートを下側から照らすことができるので、カードの上からでもエンボスプレートの打ち抜きを見ることができ、打ち抜きに沿ったカードの押圧を正確に行うことが可能である。
【００３８】
そして、このとき、本実施例のライトテーブル１では、光源として蛍光灯を用いているために長期間の使用が可能であるとともにライトテーブル１の全体が熱くなることを防止できる。
【００３９】
また、本体部２の内部に蛍光灯の光を反射させる反射板６を配置しているために、蛍光灯の光を効率よく作業面３０２に向けることができ、これにより、カードの上からでもエンボスプレートにおける打ち抜き部分をより正確に見ることが可能となり、カード作成の効率を上げることが可能である。
【００４０】
更に、カバーにおける作業面を傾斜させているためにカード作成の作業が容易になるとともに、カバーを容易に着脱可能としているために、蛍光灯の交換作業や内部の清掃等が容易であり、更にまた、本体部における正面側開口、上面側開口及び背面側開口をカバーで閉鎖してフルカバーの状態にしているので、本体部内に手等が入ってしまうことを防止して安全性を確保することができる。
【産業上の利用可能性】
【００４１】
本考案のライトテーブルでは、本体部の内部からカバーの作業面に向けて蛍光灯の光を効率よく照射可能としているため、ライトテーブルの全般に適用可能であり、従って、トレース用、写真フィルムトレース用、各種デザイン等の加工用にも適用可能である。
【図面の簡単な説明】
【００４２】
【図１】本考案のライトテーブルの実施例の斜視図である。
【図２】本考案のライトテーブルの実施例の側面構造をした一部断面図である。
【図３】本考案のライトテーブルの実施例を分解した状態を示す斜視図である。
【図４】エンボスプレートを用いたカード作成の方法を説明するための図である。
【符号の説明】
【００４３】
１    ライトテーブル
２    本体部
３    カバー
３０１    前壁部
３０２    作業面
３０３    後壁部
４    底面部
４０１    係止突起
５    側壁部
６    反射板
６０１    正面側反射板
６０２    平面部
６０３    後方側反射板
７    蛍光灯
７０１    取付具
７０２    リード線
【図１】
0003129579.tif 000003
【図２】
0003129579.tif 000004
【図３】
0003129579.tif 000005
【図４】
0003129579.tif 000006